(57)【要約】【課題】複数種類の表示装置の何れかを適宜選択して採用できるものでありながら、映像信号の形式を簡便に調整することができる映像表示システムを提供する。【解決手段】映像信号を接続されている表示装置に出力する映像信号出力装置と、複数の表示装置からなり、該表示装置の各々は、映像信号出力装置に接続されているときに映像信号を受取って映像表示する、表示装置群と、を有する映像表示システムであって、各表示装置はＩＤ情報を保有しており、映像信号出力装置は、接続されている表示装置からＩＤ情報を読取る情報読取部と、それぞれが各表示装置に対応したものである、映像信号の形式を表す形式情報の各々を記憶している記憶部と、記憶されている形式情報の中から、読取られたＩＤ情報に係る表示装置に対応したものを選出する選出部と、を備え、映像信号の生成は、該選出された形式情報に基づいてなされる映像表示システムとする。【選択図】図１
2008258800.tif 000002
【特許請求の範囲】
【請求項１】
映像情報を取得するとともに該映像情報に基づいて映像信号を生成し、接続されている表示装置に出力する映像信号出力装置と、
複数の表示装置からなり、該表示装置の各々は、前記映像信号出力装置に接続されているときに前記映像信号を受取り、前記映像情報に基づいた映像表示を行うものである、表示装置群と、
を有する映像表示システムであって、
前記表示装置群における各表示装置は、
該表示装置群の中から自己を特定させ得るＩＤ情報を保有しており、
前記映像信号出力装置は、
前記接続されている表示装置から前記ＩＤ情報を読取る、情報読取部と、
それぞれが前記各表示装置に対応したものである、前記映像信号の形式を表す形式情報の各々を記憶している記憶部と、
前記記憶されている形式情報の中から、前記読取られたＩＤ情報により特定される表示装置に対応したものを選出する選出部と、を備えており、
前記映像信号の生成は、該選出された形式情報に基づいてなされることを特徴とする映像表示システム。
【請求項２】
映像情報を取得するとともに該映像情報に基づいて映像信号を生成し、接続されている表示装置に出力する映像信号出力装置と、
複数の表示装置からなり、該表示装置の各々は、前記映像信号出力装置に接続されているときに前記映像信号を受取り、前記映像情報に基づいた映像表示を行うものである、表示装置群と、
を有する映像表示システムであって、
前記表示装置群における各表示装置は、
自己に対応した前記映像信号の形式を表す形式情報を保有しており、
前記映像信号出力装置は、
前記接続されている表示装置から前記形式情報を読取る、情報読取部を備えており、
前記映像信号の生成は、該読取られた形式情報に基づいてなされることを特徴とする映像表示システム。
【請求項３】
請求項１または請求項２に記載の映像表示システムにおける、
前記映像信号出力装置と、前記表示装置群のうちの何れかの表示装置と、を備えたことを特徴とする映像表示システム。
【請求項４】
請求項１から請求項３の何れかに記載の映像表示システムであって、
前記映像信号出力装置は、
テレビ放送に係る放送信号の受信を通じて、前記映像情報を取得することを特徴とするテレビ放送受信システム。
【請求項５】
前記映像信号は、クロック信号、水平同期信号、垂直同期信号、および映像の色と輝度を表す画像データ信号、の各要素を有しており、
前記信号形式は、
前記水平同期信号、垂直同期信号、および画像データ信号における、前記クロック信号を基準としたタイミングを表すことを特徴とする請求項４に記載のテレビ放送受信システム。
【請求項６】
前記映像信号は、クロック信号、水平同期信号、垂直同期信号、および映像の色と輝度を表す画像データ信号、の各要素を有しており、
前記信号形式は、
前記各要素についての、信号レベル、極性、およびフォーマットのうちの何れかを表すことを特徴とする請求項４に記載のテレビ放送受信システム。
【請求項７】
前記映像信号出力装置は、デジタルテレビ放送に係る放送信号を受信し、該放送信号にデコード処理を施すものであり、
前記表示装置は、液晶表示装置であることを特徴とする請求項４から請求項６の何れかに記載のテレビ放送受信システム。
【請求項８】
映像情報を取得するとともに該映像情報に基づいて映像信号を生成し、接続されている表示装置に出力する映像信号出力装置であって、
前記接続されている表示装置から、該表示装置が保有しているＩＤ情報を読取る、情報読取部と、
それぞれが複数の表示装置に対応したものである、前記映像信号の形式を表す形式情報の各々を記憶している記憶部と、
前記記憶されている形式情報の中から、前記読取られたＩＤ情報により特定される表示装置に対応したものを選出する選出部と、を備えており、
前記映像信号の生成は、該選出された形式情報に基づいてなされることを特徴とする映像信号出力装置。
【請求項９】
映像情報を取得するとともに該映像情報に基づいて映像信号を生成し、接続されている表示装置に出力する映像信号出力装置であって、
前記表示装置群における各表示装置は、
前記接続されている表示装置から、該表示装置が保有している前記映像信号の形式を表す形式情報を読取る、情報読取部を備えており、
前記映像信号の生成は、該読取られた形式情報に基づいてなされることを特徴とする映像信号出力装置。
【請求項１０】
映像情報を含む映像信号を出力する映像信号出力装置から該映像信号を受取り、前記映像情報に基づいた映像表示を行う表示装置であって、
自己に対応した前記映像信号の形式を表す形式情報を保有しており、
該形式情報を前記映像信号出力装置に出力することを特徴とする表示装置。
【発明の詳細な説明】
【技術分野】
【０００１】
本発明は、表示装置に映像表示を行わせる映像表示システムに関する。
【背景技術】
【０００２】
近年、地上波デジタル放送を受信する放送受信システム等のように、例えば放送波の受信によって映像情報を取得するとともに、この映像情報に基づいた映像表示を行うものが普及している。またこのような映像表示処理では通常、受信装置の本体側にて、表示装置に適合した形式の映像信号が生成される。そしてこの映像信号が表示装置（液晶ディスプレイ装置等）に出力されることにより、映像表示が可能となる。
【０００３】
ここで従来の放送受信システム（映像表示システム）について、図５に示す構成のものを挙げて説明する。本図のように放送受信システム１００は、映像信号出力装置１０２と表示装置１０３が、それぞれの接続インターフェース（１５１、１５２）を介して接続されて構成されている。
【０００４】
そして地上波デジタル放送やワンセグ放送などによる放送波は、映像信号出力装置のアンテナで受信され、ＲＦ部１２１のフロントエンドで、ＩＦ［Intermediate Frequency：中間周波数］信号に変換される。ＩＦ信号は、復調部１２２によりＴＳ［Transport Stream］信号に変換され、デコード部１２３によって音声信号と映像信号（クロック信号、水平同期信号、垂直同期信号、および映像データ信号を含む）に伸張される。音声信号は、音声ＤＡＣ部１２４によってアナログ信号に変換され、スピーカ等に出力される。
【０００５】
一方、デコード部１２３から出力された映像信号は、タイミング制御部１３０に入力され、後段の表示装置１０３に適合する形式の映像信号に調整される。映像信号の形式としては、例えばクロック周波数の値、水平同期信号や垂直同期信号におけるバックポーチ及びフロントポーチのタイミング、信号の極性や電圧レベルなどに関するものが挙げられる。
【０００６】
なお映像信号の形式が表示装置１０３に適合していなければ、表示装置１０３において適切な処理ができなくなり、ひいては適切に映像を表示させることができなくなる。またタイミング制御部１３０により形式の調整された映像信号は、表示装置１０３側のドライバ１３２に入力され、ドライバ１３２は映像信号に基づいて、ディスプレイに映像を表示させる。
【０００７】
また放送受信システム１００においては、表示装置１０３を他の種類のものに交換することも可能となっている。つまり、表示装置は接続インターフェース（１５１、１５２）によって映像信号出力装置１０２に着脱自在となっており、適宜、他の種類の表示装置を映像信号出力装置１０２に接続することが可能となっている。
【特許文献１】特開平５−７３０２２号公報
【特許文献２】特開平１１−５２９３４号公報
【発明の開示】
【発明が解決しようとする課題】
【０００８】
上述のような放送受信システムにおいて表示装置を他の種類のものに交換する場合、表示装置に出力される映像信号の形式を、新たに採用する表示装置に適合させる必要がある。通常、表示装置の種類によって、適合する映像信号の形式は異なるからである。
【０００９】
そのため映像信号出力装置において、映像信号の形式を、手動によって種々切り替え可能としておき、表示装置を交換する度に、映像信号の形式を適切に切り替える方法が考えられる。しかし当該方法によれば、切替時におけるユーザの負担が大きくなり、利便性を損なうおそれがある。
【００１０】
また表示装置の交換の度に、新たに採用された表示装置に適合する映像信号の形式内容を、所定の演算処理（例えばフロントポーチやバックポーチの時間等に基づいた演算）を通じて算出し、この算出結果に基づいて、映像信号の形式を調整する方法も考えられる。しかし当該方法によれば、比較的複雑な演算処理を実行するために規模の大きな回路が必要となり、製品の小型化や低廉化等が難しくなる。
【００１１】
そこで本発明は、上記の問題点に鑑み、複数種類の表示装置の何れかを適宜選択して採用できるものでありながら、映像信号の形式を簡便に調整することができる映像表示システムの提供を目的とする。
【課題を解決するための手段】
【００１２】
上記目的を達成するため、本発明に係る映像表示システムは、映像情報を取得するとともに該映像情報に基づいて映像信号を生成し、接続されている表示装置に出力する映像信号出力装置と、複数の表示装置からなり、該表示装置の各々は、前記映像信号出力装置に接続されているときに前記映像信号を受取り、前記映像情報に基づいた映像表示を行うものである、表示装置群と、を有する映像表示システムであって、前記表示装置群における各表示装置は、該表示装置群の中から自己を特定させ得るＩＤ情報を保有しており、前記映像信号出力装置は、前記接続されている表示装置から前記ＩＤ情報を読取る、情報読取部と、それぞれが前記各表示装置に対応したものである、前記映像信号の形式を表す形式情報の各々を記憶している記憶部と、前記記憶されている形式情報の中から、前記読取られたＩＤ情報により特定される表示装置に対応したものを選出する選出部と、を備えており、前記映像信号の生成は、該選出された形式情報に基づいてなされる構成（第１の構成）とする。
【００１３】
本構成によれば、映像信号出力装置に接続させる表示装置を交換した場合でも、その表示装置に適合した形式の映像信号が生成されて、表示装置に供給される。そのため、状況に応じて表示装置を適宜選択して採用することができ、利便性の良いものとすることが可能となる。
【００１４】
また映像信号の形式を、新たに接続された表示装置に適合させる処理は、表示装置から読み出されたＩＤ情報に応じて予め記憶されている形式情報を選出し、この形式情報に基づいて映像信号の生成することにより実現される。そのため、所定の演算処理を通じて適切な形式の内容自体を求めるものに比べて、映像信号の形式をより簡便に調整することが可能となる。
【００１５】
また、各表示装置に対応した形式情報は、映像信号出力装置側で一括管理させることが可能である。そのため例えば何らかの事情で、表示装置に適合する映像信号の形式が変動したような場合であっても、映像信号出力装置のみの記憶内容を適切に修正するだけで対応可能となる。
【００１６】
また本発明に係る映像表示システムは、映像情報を取得するとともに該映像情報に基づいて映像信号を生成し、接続されている表示装置に出力する映像信号出力装置と、複数の表示装置からなり、該表示装置の各々は、前記映像信号出力装置に接続されているときに前記映像信号を受取り、前記映像情報に基づいた映像表示を行うものである、表示装置群と、を有する映像表示システムであって、前記表示装置群における各表示装置は、自己に対応した前記映像信号の形式を表す形式情報を保有しており、前記映像信号出力装置は、前記接続されている表示装置から前記形式情報を読取る、情報読取部を備えており、前記映像信号の生成は、該読取られた形式情報に基づいてなされる構成（第２の構成）とする。
【００１７】
本構成によれば、映像信号出力装置に接続させる表示装置を交換した場合でも、その表示装置に適合した形式の映像信号が生成されて、表示装置に供給される。そのため、状況に応じて表示装置を適宜選択して採用することができ、利便性の良いものとすることが可能となる。
【００１８】
また映像信号の形式を、新たに接続された表示装置に適合させる処理は、表示装置から読み出された形式情報に基づいて映像信号の生成することにより実現される。そのため、映像信号の形式の調整において、比較的複雑な演算処理を実行するものに比べて、映像信号の形式をより簡便に調整することが可能となる。
【００１９】
また、それぞれの表示装置に自己の形式情報を記憶させたものとなっている。そのため、例えば新たに製品化された表示装置を映像表示システムの一部として加える場合であっても、既に普及している映像信号出力装置側に何らかの修正が必要となることを回避することができる。
【００２０】
また、上記第１または第２の構成に係る映像表示システムにおける、前記映像信号出力装置と、前記表示装置群のうちの何れかの表示装置と、を備えた構成（第３の構成）の映像表示システムとしても良い。
【００２１】
本構成によれば、映像情報を取得するとともに、その映像を表示させることが可能となる。また状況に応じて、表示装置を他のものと交換することが可能となる。そしてこの交換を行ったときについて、上記第１または第２の構成と同様に、映像信号の形式を簡便に調整することが可能となる。
【００２２】
また上記第１から第３の何れかの構成に係る映像表示システムであって、前記映像信号出力装置は、テレビ放送に係る放送信号の受信を通じて、前記映像情報を取得する構成（第４の構成）のテレビ放送受信システムとすれば、上記第１から第３の何れかの利点を享受しつつ、テレビ番組の表示を実行させることが可能となる。
【００２３】
また上記第４の構成においてより具体的には、前記映像信号は、クロック信号、水平同期信号、垂直同期信号、および映像の色と輝度を表す画像データ信号、の各要素を有しており、前記信号形式は、前記水平同期信号、垂直同期信号、および画像データ信号における前記クロック信号を基準としたタイミングを表す構成（第５の構成）としても良い。
【００２４】
また上記第４の構成においてより具体的には、前記映像信号は、クロック信号、水平同期信号、垂直同期信号、および映像の色と輝度を表す画像データ信号、の各要素を有しており、前記信号形式は、前記各要素についての、信号レベル、極性、およびフォーマットのうちの何れかを表す構成（第６の構成）としても良い。
【００２５】
また上記第４から第６の何れかの構成においてより具体的には、前記映像信号出力装置は、デジタルテレビ放送に係る放送信号を受信し、該放送信号にデコード処理を施すものであり、前記表示装置は、液晶表示装置である構成（第７の構成）としても良い。
【００２６】
また、映像情報を取得するとともに該映像情報に基づいて映像信号を生成し、接続されている表示装置に出力する映像信号出力装置であって、前記接続されている表示装置から、該表示装置が保有しているＩＤ情報を読取る、情報読取部と、それぞれが複数の表示装置に対応したものである、前記映像信号の形式を表す形式情報の各々を記憶している記憶部と、前記記憶されている形式情報の中から、前記読取られたＩＤ情報により特定される表示装置に対応したものを選出する選出部と、を備えており、前記映像信号の生成は、該選出された形式情報に基づいてなされる構成（第８の構成）の映像信号出力装置であれば、上記第１の構成における映像信号出力装置として利用することができる。
【００２７】
また、映像情報を取得するとともに該映像情報に基づいて映像信号を生成し、接続されている表示装置に出力する映像信号出力装置であって、前記表示装置群における各表示装置は、前記接続されている表示装置から、該表示装置が保有している前記映像信号の形式を表す形式情報を読取る、情報読取部を備えており、前記映像信号の生成は、該読取られた形式情報に基づいてなされる構成（第９の構成）の映像信号出力装置であれば、上記第２の構成における映像信号出力装置として利用することができる。
【００２８】
また、映像情報を含む映像信号を出力する映像信号出力装置から該映像信号を受取り、前記映像情報に基づいた映像表示を行う表示装置であって、自己に対応した前記映像信号の形式を表す形式情報を保有しており、該形式情報を前記映像信号出力装置に出力する構成（第１０の構成）の表示装置であれば、上記第２の構成における表示装置として利用することができる。
【発明の効果】
【００２９】
上述の通り本発明に係る映像表示システムによれば、映像信号出力装置に接続させる表示装置を交換した場合でも、その表示装置に適合した形式の映像信号が生成されて、表示装置に供給される。そのため、状況に応じて表示装置を適宜選択して採用することができ、利便性の良いものとすることが可能となる。
【００３０】
また映像信号の形式を、新たに接続された表示装置に適合させる処理は、表示装置から読み出されたＩＤ情報に応じて予め記憶されている形式情報を選出すること、または、表示装置から形式情報を読み出すことにより、映像信号表示装置が形式情報を取得する。そして、この形式情報に基づいて映像信号の生成することにより実現される。そのため、所定の演算処理を通じて適切な形式の内容自体を求めるものに比べて、映像信号の形式をより簡便に調整することが可能となる。
【発明を実施するための最良の形態】
【００３１】
本発明の実施形態として、実施例１および実施例２の各々について、以下に説明する。
【００３２】
［実施例１］
まず実施例１として、図１に示す構成のテレビ放送受信システム（映像表示システム）を挙げて、その内容を以下に説明する。本図のようにテレビ放送受信システム１は、映像信号出力装置２と複数種類の表示装置（３Ａ〜３Ｃ）からなる表示装置群を有している。
【００３３】
そして映像信号出力装置２と、表示装置群のうちの何れかの表示装置（ここでは表示装置３Ａとする）は、互いに接続インターフェース（５１、５２）を介して、着脱自在に接続され、この状態で、実際にテレビ放送を受信するシステムとして使用される。なお接続インターフェース（５１、５２）間の信号伝送は、例えば双方を結線するＧＰＩＯ、Ｉ２Ｃバス、３線シリアルなどにより可能となっている。以下、この状態のテレビ放送受信システムについて、主に説明する。
【００３４】
まず映像信号出力装置２の構成について説明する。映像信号出力装置２は、図１に示す通り、ＲＦ部２１、復調部２２、デコード部２３、音声ＤＡＣ部２４、判別部２５、形式情報記憶部２６、出力設定部２７、制御部２８、および操作部２９などを備えている。
【００３５】
ＲＦ部２１は、アンテナによって受信されたデジタルテレビ放送に係る放送信号を受取り、この放送信号に所定の処理を施して、ＩＦ信号に変換する。
【００３６】
復調部２２は、ＲＦ部２１側から入力されたＩＦ信号に所定の処理を施して、ＴＳ信号に変換する。またデコード部２３は、ＭＰＥＧ／Ｈ２６４のデコード装置などとして構成されており、復調部２２側から入力されたＴＳ信号に基づいて、音声信号および映像信号を生成し、後段の回路に出力する。なお後述するように、映像信号については、出力設定部２７により指示された形式の信号となるように生成される。
【００３７】
そして音声信号は、更に音声ＤＡＣ部２４に入力されてアナログ信号に変換され、不図示のスピーカ等に出力される。これにより、テレビ番組に係る音声を出力させることが可能となっている。また映像信号は、クロック信号、水平同期信号、垂直同期信号および映像データ信号（例えばＲＧＢ信号やＹＵＶ信号のように、映像における色および輝度を表す信号）の各要素を含んでおり、接続インターフェース５１を介して、表示装置３Ａに出力される。
【００３８】
判別部２５は、表示装置側から伝送されるＩＤ情報を受取る。そしてこのＩＤ情報に基づいて、形式情報記憶部２６に格納されている複数の形式情報の中から、現在接続されている表示装置に適合するものを読み出して、出力設定部２７に出力する。
【００３９】
形式情報記憶部２６は、例えばＥＥＰＲＯＭやフラッシュメモリなどの不揮発性メモリとして構成されており、複数種類の表示装置の各々に対応している形式情報が、表示装置のＩＤ情報に対応づけられた状態で記憶している。すなわち形式情報記憶部２６の記憶内容によれば、何れかの表示装置のＩＤ情報が特定されれば、その表示装置に対応している形式情報を特定することが可能となっている。
【００４０】
なお形式情報とは、映像信号についての形式を表す（形式を定める）情報のことであり、より具体的には、例えば水平同期信号、垂直同期信号、及び画像データ信号の各信号における、クロック信号を基準としたタイミング（例えば、何クロック目に水平同期信号を乗せるかといった内容）を表す情報である。またその他、クロック信号、水平同期信号、垂直同期信号、および画像データ信号の各信号における、信号レベル、極性、およびフォーマットを表す情報も含まれる。但し、形式情報の内容はこれらに限定されない。
【００４１】
出力設定部２７は、判別部２５から伝送された形式情報に基づいて、デコード部２３が実行する映像信号の生成処理を制御する。より具体的には、デコード部２３が有するレジスタに当該形式情報に基づいた書き込みを行うことにより、デコード部２３に、当該形式情報により定まる形式の映像信号を生成させる。
【００４２】
制御部２８は、映像信号出力装置２においてなされる各処理を制御する。また操作部２９は、ユーザが映像信号出力装置２に各種指示を与えるためのユーザインターフェースとして機能し、例えば操作ボタンやリモコン受信部などを備えている。
【００４３】
次に、表示装置３Ａの構成について説明する。表示装置３Ａは、図１に示す通り、ＩＤ記憶部３１、ドライバ３２、およびディスプレイ３３などを備えている。
【００４４】
ＩＤ記憶部３１は、表示装置３Ａの種類（仕様）に固有のＩＤ情報（例えば製品の型番など）が格納されている。つまりこのＩＤ情報が特定されれば、表示装置の種類が特定されることになる。またＩＤ記憶部３１に格納されているＩＤ情報は、読出し指示に応じて、接続インターフェースを介して映像信号出力装置２側に出力可能となっている。
【００４５】
ドライバ３２は、映像信号出力装置２から伝送される映像信号に基づいて、ディスプレイ３３を駆動させる。これにより、映像信号により特定される映像を、ディスプレイ３３に表示させることが可能となっている。またディスプレイ３３は、例えば液晶ディスプレイとして構成されている。
【００４６】
以上に説明した構成により、テレビ放送受信装置１は、映像信号出力装置２において映像信号を生成する一方、表示装置３Ａは映像信号を受取って、映像を表示させる。また表示装置３Ａを映像信号出力装置２から取り外し、その代わりに他種の表示装置（３Ｂ、３Ｃ）の何れかを接続させることで、表示装置を交換することが可能となっている。なお他種の表示装置（３Ｂ、３Ｃ）は、何れも表示装置３Ａと同様の構成である（ＩＤ記憶部３１、ドライバ３２、ディスプレイ３３、および接続インターフェース５２の各々を備えている）が、適合する映像信号の形式は互いに異なっている。
【００４７】
そして表示装置の交換がなされた場合には、映像信号出力装置２において、新たに採用された表示装置に適合した形式の映像信号が生成されるように、自動的に調整（以下、「形式調整処理」と称する）がなされる。この形式調整処理の内容について、図２に示すフローチャートを参照しながら、以下に説明する。
【００４８】
映像信号出力装置２側に搭載されている制御部２８は、映像信号出力装置２に接続されている表示装置が別の種類のものに交換されたか否かを、常時監視している（ステップＳ１１）。なお表示装置が交換されたか否かについては、映像信号出力装置２が自動的に検知するものとしても良く、交換時にユーザに所定操作を行わせることで検知するものとしても良い。
【００４９】
そして表示装置が別の種類のものに交換された場合は（ステップＳ１１のＹ）、新たに接続された表示装置から、その表示装置のＩＤ記憶部３１に格納されているＩＤ情報を読み出す（ステップＳ１２）。読み出されたＩＤ情報は、判別部２５に伝送される。
【００５０】
その後判別部２５は、伝送されたＩＤ情報に対応する（ＩＤ情報により特定される表示装置に適合する）形式情報を、形式情報記憶部２６に格納されている形式情報群の中から選出する（ステップＳ１３）。選出された形式情報は、出力設定部２７に伝送される。そして出力設定部２７は、この選出された形式情報を受取ってから、次に新たな形式情報を受取るまでの間、かかる形式情報に基づいた（形式情報により特定される形式の）映像信号が生成されるように、デコード部２３を制御する（ステップＳ１４）。
【００５１】
以上に説明した一連の処理により、テレビ放送受信システム１では、映像信号出力装置２に接続させる表示装置を交換した場合でも、その表示装置に適合した形式の映像信号が生成されて、表示装置に供給される。そのため、状況に応じて所望の表示装置を適宜選択して採用することができ、利便性の良いものとなっている。
【００５２】
また形式調整処理は、表示装置から読み出されたＩＤ情報に応じて予め記憶されている形式情報を選出し、この形式情報に基づいて映像信号の生成を制御することで実現されている。そのため、所定の演算処理を通じて適切な形式の内容自体を求めるものに比べて、映像信号の形式をより簡便に調整することが可能となっている。その結果、演算処理のための大規模な回路を極力省くことができ、製品の小型化や低廉化等を容易とすることが可能となっている。
【００５３】
また本実施例は、各表示装置（３Ａ〜３Ｃ）に対応した形式情報は、映像信号出力装置２側で一括管理されており、各表示装置（３Ａ〜３Ｃ）は、自己のＩＤ情報を保有しているだけとなっている。そのため例えば何らかの事情で、表示装置に適合する映像信号の形式が変動したような場合であっても、映像信号出力装置２側のみの記憶内容を適切に修正するだけで対応可能となっている。
【００５４】
［実施例２］
次に実施例２として、図３に示す構成のテレビ放送受信システム（映像表示システム）を挙げて、その内容を以下に説明する。なお本実施例は、形式調整処理に関する部分を除いては基本的に実施例１と同様の構成であるため、重複する説明は省略する。
【００５５】
図３に示すように、映像信号出力装置２は、実施例１では配置されていた判別部２５や形式情報記憶部２６を有しておらず、その代わりに、形式情報取得部３０を有している。また各表示装置（３Ａ〜３Ｃ）は、実施例１では配置されていたＩＤ情報記憶部３１を有しておらず、その代わりに、形式情報記憶部３４を有している。
【００５６】
形式情報取得部３０は、制御部２８の指示に応じて、表示装置側の形式情報記憶部３４に格納されている形式情報を読み出して取得する。読み出された形式情報は、出力設定部２７に伝送される。また形式情報記憶部３４は、その表示装置に対応した形式情報が予め記憶されている。つまり各表示装置は、自己に対応した形式情報を保有しているものとなっている。
【００５７】
そして実施例１と同様に表示装置の交換がなされた場合には、映像信号出力装置２において、新たに採用された表示装置に適合した形式の映像信号が生成されるように、形式調整処理がなされる。形式調整処理の内容について、図４に示すフローチャートを参照しながら、以下に説明する。
【００５８】
映像信号出力装置２側に搭載されている制御部２８は、映像信号出力装置２に接続されている表示装置が別の種類のものに交換されたか否かを、常時監視している（ステップＳ２１）。なお表示装置が交換されたか否かについては、映像信号出力装置２が自動的に検知するものとしても良く、交換時にユーザに所定操作を行わせることで検知するものとしても良い。
【００５９】
そして表示装置が別の種類のものに交換された場合は（ステップＳ２１のＹ）、形式情報取得部３０に、表示装置の形式情報記憶部３４に格納されている形式情報を読み出させる（ステップＳ２２）。読み出された形式情報は、出力設定部２７に伝送される。
【００６０】
その後、出力設定部２７は、この読み出された形式情報を受取ってから、次に新たな形式情報を受取るまでの間、かかる形式情報に基づいた（形式情報により特定される形式の）映像信号が生成されるように、デコード部２３を制御する（ステップＳ１４）。
【００６１】
このような一連の処理により、テレビ放送受信システム１は、映像信号出力装置２に接続させる表示装置を交換した場合でも、その表示装置に適合した形式の映像信号が生成されて、表示装置に供給される。そのため、状況に応じて表示装置を適宜選択して採用することができ、利便性の良いものとなっている。
【００６２】
また実施例１では、各表示装置の形式情報は映像信号出力装置２に記憶されていたが、本実施例では、それぞれの表示装置に自己の形式情報を記憶させたものとなっている。そのため、例えば新たに製品化された表示装置をテレビ放送受信システム１に加える場合であっても、既に普及している映像信号出力装置に何らかの修正が必要となることもない。
【００６３】
以上の通り、本発明の実施形態について説明したが、本発明はこれらの内容に限定されるものではなく、発明の主旨を逸脱しない限り、種々の改変を加えることが可能である。
【産業上の利用可能性】
【００６４】
本発明は、テレビ放送を受信して放送番組の映像を表示する、テレビ放送受信システム等の分野において利用可能である。
【図面の簡単な説明】
【００６５】
【図１】本発明の実施例１に係る、テレビ放送受信システムの構成図である。
【図２】本発明の実施例１に係る、形式調整処理の流れ図である。
【図３】本発明の実施例２に係る、テレビ放送受信システムの構成図である。
【図４】本発明の実施例２に係る、形式調整処理の流れ図である。
【図５】従来のテレビ放送受信システムの一例に係る構成図である。
【符号の説明】
【００６６】
１    テレビ放送受信システム（映像表示システム）
２    映像信号出力装置
３Ａ、３Ｂ、３Ｃ    表示装置
２１    ＲＦ部
２２    復調部
２３    デコード部
２４    音声ＤＡＣ部
２５    判別部
２６    形式情報記憶部
２７    出力設定部
２８    制御部
２９    操作部
３０    形式情報取得部
３１    ＩＤ記憶部
３２    ドライバ
３３    ディスプレイ
３４    形式情報記憶部
５１、５２    接続インターフェース
【図１】
2008258800.tif 000003
【図２】
2008258800.tif 000004
【図３】
2008258800.tif 000005
【図４】
2008258800.tif 000006
【図５】
2008258800.tif 000007